(57)【特許請求の範囲】
【請求項１】
タイヤ周方向に延在して環状をなすトレッド部と、該トレッド部の両側に配置された一対のサイドウォール部と、これらサイドウォール部のタイヤ径方向内側に配置された一対のビード部とを備えた空気入りタイヤにおいて、
前記トレッド部にタイヤ周方向に延びるセンター主溝と該センター主溝の外側でタイヤ周方向に延びるショルダー主溝を有し、前記センター主溝と前記ショルダー主溝との間に区画された陸部を有し、該陸部に前記ショルダー主溝からタイヤ幅方向内側に向かって延びて前記センター主溝に連通することなく終端する複数本のラグ溝を有し、各ラグ溝の終端側にタイヤ周方向の一方側に向かって屈曲した屈曲部を有し、該屈曲部が前記ラグ溝に対して段差を形成しつつ該ラグ溝よりも浅くなる底上げ部を有することを特徴とする空気入りタイヤ。
【請求項２】
前記屈曲部の前記底上げ部での深さＤｘが前記ラグ溝の深さＤｒに対して０．１０×Ｄｒ≦Ｄｘ≦０．７０×Ｄｒの関係を満足することを特徴とする請求項１に記載の空気入りタイヤ。
【請求項３】
前記センター主溝がタイヤ周方向に沿ってジグザグ形状をなし、前記陸部に前記屈曲部に対して連通することなくタイヤ周方向に沿って間欠的に延在する複数本の細溝を有し、該細溝が前記ジグザグ形状を有するセンター主溝に対して実質的に平行に配置されていることを特徴とする請求項１又は２に記載の空気入りタイヤ。
【請求項４】
前記細溝の深さＤｓが前記ジグザグ形状を有するセンター主溝の深さＤｃに対して０．１０×Ｄｃ≦Ｄｓ≦０．５０×Ｄｃの関係を満足することを特徴とする請求項３に記載の空気入りタイヤ。
【請求項５】
前記細溝と前記ジグザグ形状を有するセンター主溝とのタイヤ軸方向の間隔ｄ１が前記陸部のタイヤ軸方向の幅ｄ２に対して０．１０×ｄ２≦ｄ１≦０．４０×ｄ２の関係を満足することを特徴とする請求項３又は４に記載の空気入りタイヤ。
【請求項６】
前記屈曲部を有するラグ溝のタイヤ周方向に対する傾斜角度αが２５°〜７５°の範囲にあることを特徴とする請求項１〜５のいずれかに記載の空気入りタイヤ。
【請求項７】
前記屈曲部を有する各ラグ溝が前記ショルダー主溝からタイヤ幅方向内側に向かってタイヤ周方向の他方側へ傾斜していることを特徴とする請求項１〜６のいずれかに記載の空気入りタイヤ。
【発明の詳細な説明】
【技術分野】
【０００１】
本発明は、トレッド部にタイヤ周方向に延びるセンター主溝と該センター主溝の外側でタイヤ周方向に延びるショルダー主溝を設け、これらセンター主溝とショルダー主溝との間にタイヤ周方向に延在する陸部を区画した空気入りタイヤに関し、更に詳しくは、トレッドパターン構成の適正化により背反関係にあるドライ路面での操縦安定性とウエット路面での操縦安定性とを両立しつつ、更に耐偏摩耗性を向上することを可能にした空気入りタイヤに関する。
【背景技術】
【０００２】
空気入りタイヤにおいて、トレッド部にタイヤ周方向に延びる複数本の主溝を設け、これら主溝により複数列の陸部を区画したトレッドパターンが採用されている（例えば、特許文献１参照）。このような空気入りタイヤにおいて、トレッド部の各陸部にタイヤ幅方向に延びる複数本のラグ溝を設けることにより、そのラグ溝に基づいて良好な排水性能を確保するようにしている。
【０００３】
しかしながら、トレッド部におけるラグ溝の本数を増加させた場合、トレッド部の剛性が低下し、ドライ路面での操縦安定性が低下することになる。逆に、トレッド部におけるラグ溝の本数を減少させた場合、排水性能が低下し、ウエット路面での操縦安定性が低下することになる。このようにドライ路面での操縦安定性とウエット路面での操縦安定性とは二律背反関係にあり、両者を同時に改善することは困難である。
【０００４】
また、トレッド部を主溝やラグ溝により細分化した場合、剛性の不均一化によりトレッド部に偏摩耗を生じ易くなる。そして、偏摩耗を抑制するには主溝やラグ溝の配置が制約されるので、ドライ路面での操縦安定性とウエット路面での操縦安定性との両立に加えて耐偏摩耗性を改善することは更に困難である。
【先行技術文献】
【特許文献】
【０００５】
【特許文献１】特開２０１２−２２８９９２号公報
【発明の概要】
【発明が解決しようとする課題】
【０００６】
本発明の目的は、トレッドパターン構成の適正化により背反関係にあるドライ路面での操縦安定性とウエット路面での操縦安定性とを両立しつつ、更に耐偏摩耗性を向上することを可能にした空気入りタイヤを提供することにある。
【課題を解決するための手段】
【０００７】
上記目的を達成するための本発明の空気入りタイヤは、タイヤ周方向に延在して環状をなすトレッド部と、該トレッド部の両側に配置された一対のサイドウォール部と、これらサイドウォール部のタイヤ径方向内側に配置された一対のビード部とを備えた空気入りタイヤにおいて、
前記トレッド部にタイヤ周方向に延びるセンター主溝と該センター主溝の外側でタイヤ周方向に延びるショルダー主溝を有し、前記センター主溝と前記ショルダー主溝との間に区画された陸部を有し、該陸部に前記ショルダー主溝からタイヤ幅方向内側に向かって延びて前記センター主溝に連通することなく終端する複数本のラグ溝を有し、各ラグ溝の終端側にタイヤ周方向の一方側に向かって屈曲した屈曲部を有し、該屈曲部が前記ラグ溝に対して段差を形成しつつ該ラグ溝よりも浅くなる底上げ部を有することを特徴とするものである。
【発明の効果】
【０００８】
本発明では、トレッド部にタイヤ周方向に延びるセンター主溝と該センター主溝の外側でタイヤ周方向に延びるショルダー主溝を設け、これらセンター主溝とショルダー主溝との間に区画された陸部に複数本のラグ溝を設けることにより、ウエット路面での操縦安定性を確保することができる。しかも、ラグ溝を陸部内で終端させることにより、当該陸部の剛性を十分に確保し、ドライ路面での操縦安定性とウエット路面での操縦安定性とを両立することができる。更に、ショルダー主溝からタイヤ幅方向内側に向かって延びるラグ溝に屈曲部を設けることにより、そのエッジ効果に基づいてウエット性能の改善効果を増大させることができる。また、屈曲部にラグ溝に対して段差を形成しつつ該ラグ溝よりも浅くなる底上げ部を形成することにより、陸部の局所的な剛性低下を回避し、ドライ路面での操縦安定性と耐偏摩耗性を改善することができる。これにより、背反関係にあるドライ路面での操縦安定性とウエット路面での操縦安定性とを両立しつつ、更には耐偏摩耗性を向上することができる。
【０００９】
本発明において、屈曲部の底上げ部での深さＤｘはラグ溝の深さＤｒに対して０．１０×Ｄｒ≦Ｄｘ≦０．７０×Ｄｒの関係を満足することが好ましい。屈曲部の底上げ部での深さＤｘを上記範囲に設定することにより、ウエット性能の改善効果を十分に確保しながら、ドライ路面での操縦安定性と耐偏摩耗性を効果的に改善することができる。
【００１０】
また、センター主溝がタイヤ周方向に沿ってジグザグ形状をなし、上記陸部に屈曲部に対して連通することなくタイヤ周方向に沿って間欠的に延在する複数本の細溝を有し、該細溝がジグザグ形状を有するセンター主溝に対して実質的に平行に配置されていることが好ましい。センター主溝をジグザグ形状とし、そのセンター主溝に対して実質的に平行となるように細溝を間欠的に配置することにより、ドライ路面での操縦安定性とウエット路面での操縦安定性とを高い次元で両立し、耐偏摩耗性を更に改善することができる。
【００１１】
また、細溝の深さＤｓはジグザグ形状を有するセンター主溝の深さＤｃに対して０．１０×Ｄｃ≦Ｄｓ≦０．５０×Ｄｃの関係を満足することが好ましい。細溝の深さＤｓを上記範囲に設定することにより、ドライ路面での操縦安定性と耐偏摩耗性を効果的に改善することができる。
【００１２】
更に、細溝とジグザグ形状を有するセンター主溝とのタイヤ軸方向の間隔ｄ１が陸部のタイヤ軸方向の幅ｄ２に対して０．１０×ｄ２≦ｄ１≦０．４０×ｄ２の関係を満足することが好ましい。細溝とジグザグ形状を有するセンター主溝との間隔ｄ１を上記範囲に設定することにより、耐偏摩耗性の改善効果を最大限に発揮することができる。
【００１３】
更に、屈曲部を有するラグ溝のタイヤ周方向に対する傾斜角度αは２５°〜７５°の範囲にあることが好ましい。ラグ溝のタイヤ周方向に対する傾斜角度αを上記範囲に設定することにより、ドライ路面における操縦安定性の改善効果を十分に確保することができる。
【図面の簡単な説明】
【００１４】
【図１】本発明の実施形態からなる空気入りタイヤを示す子午線断面図である。
【図２】図１の空気入りタイヤのトレッドパターンを示す展開図である。
【図３】図２のトレッドパターンの要部を示す平面図である。
【図４】図２のトレッドパターンにおける屈曲部を有するラグ溝を抽出して示す斜視図である。
【図５】図４のＶ−Ｖ矢視断面図である。
【図６】図３のＶＩ−ＶＩ矢視断面図である。
【発明を実施するための形態】
【００１５】
以下、本発明の構成について添付の図面を参照しながら詳細に説明する。図１〜図６は本発明の実施形態からなる空気入りタイヤを示すものである。
【００１６】
図１に示すように、本実施形態の空気入りタイヤは、タイヤ周方向に延在して環状をなすトレッド部１と、該トレッド部１の両側に配置された一対のサイドウォール部２，２と、これらサイドウォール部２のタイヤ径方向内側に配置された一対のビード部３，３とを備えている。
【００１７】
一対のビード部３，３間にはカーカス層４が装架されている。このカーカス層４は、タイヤ径方向に延びる複数本の補強コードを含み、各ビード部３に配置されたビードコア５の廻りにタイヤ内側から外側へ折り返されている。ビードコア５の外周上には断面三角形状のゴム組成物からなるビードフィラー６が配置されている。
【００１８】
一方、トレッド部１におけるカーカス層４の外周側には複数層のベルト層７が埋設されている。これらベルト層７はタイヤ周方向に対して傾斜する複数本の補強コードを含み、かつ層間で補強コードが互いに交差するように配置されている。ベルト層７において、補強コードのタイヤ周方向に対する傾斜角度は例えば１０°〜４０°の範囲に設定されている。ベルト層７の補強コードとしては、スチールコードが好ましく使用される。ベルト層７の外周側には、高速耐久性の向上を目的として、補強コードをタイヤ周方向に対して例えば５°以下の角度で配列してなる少なくとも１層のベルトカバー層８が配置されている。ベルトカバー層８の補強コードとしては、ナイロンやアラミド等の有機繊維コードが好ましく使用される。
【００１９】
なお、上述したタイヤ内部構造は空気入りタイヤにおける代表的な例を示すものであるが、これに限定されるものではない。
【００２０】
図２に示すように、トレッド部１には、タイヤ周方向に延びる４本の主溝１１〜１４が形成されている。つまり、トレッド部１には、タイヤ赤道ＣＬの両側に位置する一対のセンター主溝１１，１２と、これらセンター主溝１１，１２のタイヤ幅方向外側に位置する一対のショルダー主溝１３，１４とが形成されている。ここで、センター主溝１２はタイヤ周方向に沿ってジグザグ形状をなしているが、他の主溝１１，１３，１４は直線状をなしている。これら４本の主溝１１〜１４により、トレッド部１には、タイヤ赤道ＣＬ上に位置するセンター陸部２１と、センター陸部２１よりもタイヤ幅方向の一方側に位置する中間陸部２２と、センター陸部２１よりもタイヤ幅方向の他方側に位置する中間陸部２３と、中間陸部２２よりもタイヤ幅方向の一方側に位置するショルダー陸部２４と、中間陸部２３よりもタイヤ幅方向の他方側に位置するショルダー陸部２５とが区画されている。
【００２１】
また、トレッド部１には、ジグザグ形状を有するセンター主溝１２以外の主溝１１，１３，１４からタイヤ幅方向両側に向かって延長して各陸部２１〜２５内で終端する複数本のラグ溝３１Ａ，３１Ｂ，３３Ａ，３３Ｂ，３４Ａ，３４Ｂがそれぞれタイヤ周方向に間隔をおいて形成されている。
【００２２】
より具体的には、ラグ溝３１Ａは一端がセンター主溝１１に連通する一方で他端がセンター陸部２１内で終端し、ラグ溝３１Ｂは一端がセンター主溝１１に連通する一方で他端が中間陸部２２内で終端している。ラグ溝３３Ａは一端がショルダー主溝１３に連通する一方で他端が中間陸部２２内で終端し、ラグ溝３３Ｂは一端がショルダー主溝１３に連通する一方で他端がショルダー陸部２４内で終端している。ラグ溝３４Ａは一端がショルダー主溝１４に連通する一方で他端が中間陸部２３内で終端し、ラグ溝３４Ｂは一端がショルダー主溝１４に連通する一方で他端がショルダー陸部２５内で終端している。
【００２３】
なお、ラグ溝３１Ａとラグ溝３１Ｂとは互いに対向する位置に配置されることが好ましいが、例えば、パターンノイズを緩和するために、ラグ溝３１Ａとラグ溝３１Ｂとをタイヤ周方向にずれた位置に配置することも可能である。このような関係はラグ溝３３Ａとラグ溝３３Ｂの配置やラグ溝３４Ａとラグ溝３４Ｂの配置にも適用される。
【００２４】
図３〜図５に示すように、中間陸部２３において、ショルダー主溝１４からタイヤ幅方向内側に向かって延びるラグ溝３４Ａは終端側においてタイヤ周方向の一方側に向かって鉤状に屈曲した屈曲部３４Ｃを有している。更に、屈曲部３４Ｃにはラグ溝３４Ａに対して段差を形成しつつ該ラグ溝３４Ａよりも浅くなる底上げ部３４Ｄが形成されている。底上げ部３４Ｄは屈曲部３４Ｃの先端側に向かって徐々に高くなっている。言い換えれば、屈曲部３４Ｃはその先端側に向かって徐々に浅くなっている。また、屈曲部３４Ｃを有するラグ溝３４Ａが形成された中間陸部２３には、屈曲部３４Ｃに対して連通することなくタイヤ周方向に沿って間欠的に延在する複数本の細溝４１が形成されている。細溝４１は溝幅が３．０ｍｍ以下の溝であり、所謂サイプを包含するものである。これら細溝４１はジグザグ形状を有するセンター主溝１２に対して実質的に平行に配置されている。
【００２５】
細溝４１はセンター主溝１２に対して必ずしも厳密に平行である必要はない。細溝４１とセンター主溝１２とのタイヤ軸方向の間隔ｄ１を測定したとき、その間隔ｄ１の最小値ｄ１min及び最大値ｄ１maxが（ｄ１max−ｄ１min）／ｄ１max≦０．１の関係を満足するとき、両者は実質的に平行であると見做すことができる。
【００２６】
ショルダー陸部２４には、タイヤ周方向に延びる周方向補助溝４２が形成されている。周方向補助溝４２は溝幅が０．８ｍｍ〜３．０ｍｍの溝である。また、ショルダー陸部２４には、トレッド部１の端部からタイヤ幅方向内側に向かって延びる複数本のショルダーラグ溝４３がタイヤ周方向に間隔をおいて形成されている。ショルダーラグ溝４３は周方向補助溝４２に対して交差するが、ショルダー主溝１３に至る手前で終端している。
【００２７】
ショルダー陸部２５には、トレッド部１の端部からタイヤ幅方向内側に向かって延びる複数本のショルダーラグ溝４４がタイヤ周方向に間隔をおいて形成されている。ショルダーラグ溝４４はショルダー主溝１４に至る手前で終端している。また、ショルダー陸部２５には、各ラグ溝３４Ｂの先端部からタイヤ幅方向外側に向かって延びる複数本のサイプ４５が形成されている。
【００２８】
上述した空気入りタイヤでは、トレッド部１にタイヤ周方向に延びるセンター主溝１２と該センター主溝１２の外側でタイヤ周方向に延びるショルダー主溝１４を設け、これらセンター主溝１２とショルダー主溝１４との間の中間陸部２３に複数本のラグ溝３４Ａを設けることにより、ウエット路面での操縦安定性を確保することができる。更に、ショルダー主溝１４からタイヤ幅方向内側に向かって延びるラグ溝３４Ａに屈曲部３４Ｃを設けることにより、そのエッジ効果に基づいてウエット性能の改善効果を増大させることができる。また、屈曲部３４Ｃにラグ溝３４Ａに対して段差を形成しつつ該ラグ溝３４Ａよりも浅くなる底上げ部３４Ｄを形成することにより、中間陸部２３の局所的な剛性低下を回避し、ドライ路面での操縦安定性と耐偏摩耗性を改善することができる。
【００２９】
上記空気入りタイヤにおいて、図５に示すように、屈曲部３４Ｃの底上げ部３４Ｄでの深さＤｘはラグ溝３４Ａの深さＤｒに対して０．１０×Ｄｒ≦Ｄｘ≦０．７０×Ｄｒの関係を満足すると良い。屈曲部３４Ｃの底上げ部３４Ｄでの深さＤｘを上記範囲に設定することにより、ウエット性能の改善効果を十分に確保しながら、ドライ路面での操縦安定性と耐偏摩耗性を効果的に改善することができる。比Ｄｘ／Ｄｒが０．１０未満であるとウエット性能の改善効果が低下し、逆に０．７０超であると陸部２３の剛性が低下するためドライ路面での操縦安定性や耐偏摩耗性に悪影響を及ぼす。なお、屈曲部３４Ｃの底上げ部３４Ｄでの深さが図５に示すように徐々に変化している場合、その深さＤｘは屈曲部３４Ｃの底上げ部３４Ｄでの最大深さを意味する。
【００３０】
また、上記空気入りタイヤにおいて、センター主溝１２がタイヤ周方向に沿ってジグザグ形状をなし、中間陸部２３に屈曲部３４Ｃに対して連通することなくタイヤ周方向に沿って間欠的に延在する複数本の細溝４１が形成され、これら細溝４１がジグザグ形状を有するセンター主溝１２に対して実質的に平行に配置されることが望ましい。ジグザグ形状を有するセンター主溝１２はそのエッジ効果に基づいてウエット路面での操縦安定性の向上に寄与する。また、センター主溝１２に対して実質的に平行となるように間欠的に配置された細溝４１は、中間陸部２３の剛性低下を最小限に抑制しながら、そのエッジ効果に基づいてウエット路面での操縦安定性の向上に寄与する。そのため、ジグザグ形状を有するセンター主溝１２と細溝４１とを組み合わせて配置した場合、ドライ路面での操縦安定性とウエット路面での操縦安定性とを高い次元で両立し、耐偏摩耗性を更に改善することができる。また、屈曲部３４Ｃには底上げ部３４Ｄが形成されているので、タイヤ使用に伴って細溝４１と屈曲部３４Ｃとを互いに連結するようなクラックの発生を防止することができる。
【００３１】
上記空気入りタイヤにおいて、図３に示すように、屈曲部３４Ｃを有するラグ溝３４Ａのタイヤ周方向に対する傾斜角度αは２５°〜７５°の範囲にあると良い。ラグ溝３４Ａのタイヤ周方向に対する傾斜角度αを上記範囲に設定することにより、ドライ路面における操縦安定性の改善効果を十分に確保することができる。傾斜角度αが２５°未満であると陸部２３に鋭角部が形成されて局所的な剛性低下を生じるためドライ路面での操縦安定性に悪影響を及ぼし、逆に７５°超であるとラグ溝３４Ａの両側部分の挙動が分断されてパターンとしての剛性が低下するためドライ路面での操縦安定性に悪影響を及ぼす。なお、ラグ溝３４Ａの傾斜角度αは屈曲部３４Ｃを除いたラグ溝３４Ａの長手方向両端の溝幅中心位置Ｐ１，Ｐ２を結ぶ直線がタイヤ周方向に対してなす角度である。
【００３２】
また、上記空気入りタイヤにおいて、図６に示すように、細溝４１の深さＤｓはジグザグ形状を有するセンター主溝１２の深さＤｃに対して０．１０×Ｄｃ≦Ｄｓ≦０．５０×Ｄｃの関係を満足すると良い。細溝４１の深さＤｓを上記範囲に設定することにより、ドライ路面での操縦安定性と耐偏摩耗性を効果的に改善することができる。比Ｄｓ／Ｄｃが０．１０未満であると耐偏摩耗性の改善効果が低下し、逆に０．５０超であると陸部２３の剛性が低下するためドライ路面での操縦安定性に悪影響を及ぼす。
【００３３】
更に、上記空気入りタイヤにおいて、細溝４１とジグザグ形状を有するセンター主溝１２とのタイヤ軸方向の間隔ｄ１は陸部２３のタイヤ軸方向の幅ｄ２に対して０．１０×ｄ２≦ｄ１≦０．４０×ｄ２の関係を満足すると良い。細溝４１とジグザグ形状を有するセンター主溝１２との間隔ｄ１を上記範囲に設定することにより、耐偏摩耗性の改善効果を最大限に発揮することができる。比ｄ１／ｄ２が上記範囲から外れると陸部２３の剛性が十分に均一化されないため耐偏摩耗性の改善効果が低下する。なお、陸部２３の幅ｄ２はジグザグ形状を有するセンター主溝１２に隣接する陸部２３の最小幅であり、細溝４１とセンター主溝１２との間隔ｄ１が変化する場合、その最小値ｄ１min及び最大値ｄ１maxの平均値を間隔ｄ１とする。
【００３４】
また、上記空気入りタイヤにおいては、トレッド部１に、ジグザグ形状を有するセンター主溝１２を除く他の主溝１１，１３，１４からタイヤ幅方向両側に向かって延長して各陸部２１〜２５内で終端する複数本のラグ溝３１Ａ，３１Ｂ，３３Ａ，３３Ｂ，３４Ａ，３４Ｂを設けているので、トレッド部１の剛性低下を最小限に抑えながら良好な排水性能を確保することができる。つまり、ラグ溝３１Ａ，３１Ｂ，３３Ａ，３３Ｂ，３４Ａ，３４Ｂは路面上の水を主溝１１，１３，１４に案内して効率的な排水性能を発揮するが、陸部２１〜２５を完全に分断するものではないので、トレッド部１の剛性を高く維持することができる。これにより、ドライ路面での操縦安定性とウエット路面での操縦安定性とを高い次元で両立することができる。
【００３５】
上述した実施形態においては、トレッド部１に一対のセンター主溝１１，１２と一対のショルダー主溝１３，１４を設け、そのうちのセンター主溝１２をタイヤ周方向に沿ってジグザグ形状とした場合について説明したが、本発明では一対のセンター主溝１１，１２の両方をタイヤ周方向に沿ってジグザグ形状としても良い。例えば、図２のトレッドパターンのタイヤ赤道ＣＬよりも右側部分の構成を鏡面対称又は点対称でタイヤ赤道ＣＬよりも左側部分に適用することが可能である。その他、図２のトレッドパターンのタイヤ赤道ＣＬよりも右側部分の構成を有するものであれば、その左側部分の構成は任意に選択することができる。また、本発明では、最良ではない形態として、センター主溝１２を他の主溝１１，１３，１４と同様に直線状としたり、陸部２３から細溝４１を排除したりすることも可能である。
【実施例】
【００３６】
タイヤサイズ２１５／５５Ｒ１７で、トレッド部と一対のサイドウォール部と一対のビード部とを備えた空気入りタイヤにおいて、図２に示すように、トレッド部にタイヤ周方向に延びる一対のセンター主溝と該センター主溝の外側でタイヤ周方向に延びる一対のショルダー主溝を含む４本の主溝を設け、これら主溝により５列の陸部を区画すると共に、一方のセンター主溝をタイヤ周方向に沿ってジグザグ形状とし、他の主溝をストレート形状とし、ジグザグ形状を有するセンター主溝とショルダー主溝との間に位置する陸部にショルダー主溝からタイヤ幅方向内側に向かって延びてセンター主溝に連通することなく終端する複数本のラグ溝を設け、各ラグ溝の終端側にタイヤ周方向の一方側に向かって屈曲した屈曲部を形成し、該屈曲部にラグ溝に対して段差を形成しつつ該ラグ溝よりも浅くなる底上げ部を形成し、その陸部に屈曲部に対して連通することなくタイヤ周方向に沿って間欠的に延在する複数本の細溝を形成し、該細溝をジグザグ形状を有するセンター主溝に対して実質的に平行に配置した実施例１〜９のタイヤを製作した。
【００３７】
比較のため、トレッド部にタイヤ周方向に延びる一対のセンター主溝と該センター主溝の外側でタイヤ周方向に延びる一対のショルダー主溝を含む４本の主溝を設け、これら主溝により５列の陸部を区画すると共に、全ての主溝をストレート形状とし、各主溝間に両側の主溝に対して連通する複数本のラグ溝を設けた従来例のタイヤを用意した。
【００３８】
また、全ての主溝をストレート形状とし、かつラグ溝の屈曲部と細溝とラグ溝の屈曲部における底上げ部を設けていないこと以外は実施例１と同じ構成を有する比較例１のタイヤと、ラグ溝の屈曲部と細溝とラグ溝の屈曲部における底上げ部を設けていないこと以外は実施例１と同じ構成を有する比較例２のタイヤと、ラグ溝の屈曲部における底上げ部を設けていないこと以外は実施例１と同じ構成を有する比較例３のタイヤを用意した。
【００３９】
実施例１〜９及び比較例１〜３において、屈曲部を有するラグ溝の傾斜角度α、細溝の深さＤｓ、センター主溝の深さＤｃ、細溝とセンター主溝との間隔ｄ１、細溝を有する陸部の幅ｄ２、屈曲部の底上げ部での深さＤｘ、ラグ溝の深さＤｒを表１のように設定した。
【００４０】
これら試験タイヤについて、下記試験方法により、ドライ路面での操縦安定性、ウエット路面での操縦安定性、耐偏摩耗性を評価し、その結果を表１に併せて示した。
【００４１】
ドライ路面での操縦安定性：
各試験タイヤをリムサイズ１７×７．５Ｊのホイールに組み付けて排気量２４００ｃｃの前輪駆動車に装着し、ウォームアップ後の空気圧（Ｆ／Ｒ）を２３０ｋＰａ／２２０ｋＰａとし、ドライ路面において走行した際のパネラーによる官能評価を実施した。評価結果は、従来例を１００とする指数にて示した。この指数値が大きいほどドライ路面での操縦安定性が優れていることを意味する。
【００４２】
ウエット路面での操縦安定性：
各試験タイヤをリムサイズ１７×７．５Ｊのホイールに組み付けて排気量２４００ｃｃの前輪駆動車に装着し、ウォームアップ後の空気圧（Ｆ／Ｒ）を２３０ｋＰａ／２２０ｋＰａとし、舗装路からなるテストコースにおいて雨天条件下でラップタイムを計測した。評価結果は、計測値の逆数を用い、従来例を１００とする指数にて示した。この指数値が大きいほどウエット路面での操縦安定性が優れていることを意味する。
【００４３】
耐偏摩耗性：
各試験タイヤをリムサイズ１７×７．５Ｊのホイールに組み付けて排気量２４００ｃｃの前輪駆動車に装着し、ウォームアップ後の空気圧（Ｆ／Ｒ）を２３０ｋＰａ／２２０ｋＰａとし、テストコースにおいて１００００ｋｍ走行させた後、センター主溝とショルダー主溝の摩滅量を測定し、その段差量を求めた。評価結果は、段差量の逆数を用い、従来例を１００とする指数にて示した。この指数値が大きいほど耐偏摩耗性が優れていることを意味する。
【００４４】
【表１】
0006720551.tif 000002
【００４５】
この表１から判るように、実施例１〜９のタイヤは、従来例との対比において、ドライ路面での操縦安定性とウエット路面での操縦安定性とを同時に改善することができ、更には耐偏摩耗性を改善することができた。また、実施例１〜９のタイヤは、比較例１〜３との対比においても良好な結果を示していた。
【符号の説明】
【００４６】
１  トレッド部
２  サイドウォール部
３  ビード部
１１〜１４  主溝
２１〜２５  陸部
３１Ａ，３１Ｂ，３３Ａ，３３Ｂ，３４Ａ，３４Ｂ  ラグ溝
３４Ｃ  屈曲部
３４Ｄ  底上げ部
４１  細溝
４２  周方向補助溝
４３，４４  ショルダーラグ溝
４５  サイプ
【図１】
0006720551.tif 000003
【図２】
0006720551.tif 000004
【図３】
0006720551.tif 000005
【図４】
0006720551.tif 000006
【図５】
0006720551.tif 000007
【図６】
0006720551.tif 000008